(57)【要約】【課題】天然木製品の木口を見せながら厚み感や質感を味うことが出来、しかも雨水に濡れることがないので、耐久性を維持できる木製軒裏納まりを提供すること。【解決手段】住宅の構造部材２に固定された軒先見切り３と、この軒先見切り３の軒裏側で上端側を軒裏と反対側へ露出しないように支持され下端側を軒裏側へ入り込んだ位置で軒裏と反対側に露出している木製軒裏回り縁４と、この木製軒裏回り縁４の下方面と略同一面となるように配置された木製軒裏５と、を具備する木製軒裏納まり１としたこと。【選択図】図１
2018096049.tif 000002
【特許請求の範囲】
【請求項１】
住宅の構造部材に固定された軒先見切りと、この軒先見切りの軒裏側で上端側を軒裏と反対側へ露出しないように支持され下端側を軒裏側へ入り込んだ位置で軒裏と反対側に露出している木製軒裏回り縁と、この木製軒裏回り縁の下方面と略同一面となるように配置された木製軒裏と、を具備することを特徴とする木製軒裏納まり。
【請求項２】
前記軒先見切りが、前記住宅の構造部材に固定される上面板と、該上面板の軒裏と反対側から屈曲して形成された側面板と、該側面板の下端側から軒裏側に屈曲して形成された下面板と、前記上面板と前記下面板の間に前記木製軒裏回り縁の上端側を支持する支持部を具備することを特徴とする請求項１の木製軒裏納まり。
【請求項３】
前記木製軒裏回り縁が、前記側面板より長い本体部と、該本体部の上方から軒裏と反対側に突出して前記支持部に収納支持される収納凸部と、前記本体部の上方から軒裏側に突出して形成され前記上面板に固定する取付板部とを特徴とする請求項１又は請求項２の木製軒裏納まり。
【発明の詳細な説明】
【技術分野】
【０００１】
この発明は、住宅の軒裏で軒先見切り及び軒裏回り縁を用いて構成される木製軒裏納まりに関する。
【背景技術】
【０００２】
周知のように、住宅用軒裏納まりとしては、特許文献１のように水切りを第１見切部材と第２見切部材の２つの見切部材とすることによって、一方の見切部材に影響を与えずに他方の見切部材に有用な機能を持たせたり、一方の見切部材の表面色及び質感を軒天の表面色及び質感と同一か、又は、他の見切部材の表面色や質感よりも表面色及び質感よりも軒天の表面色及び質感に近くすることなどの機能を持たせることができる。あるいは、２つの見切部材の表面色や材質を異ならせることにより、立体感や奥行き感が感じられて上質感も出せる見切り設置構造が提案されている。又、特許文献２にように、上部破風水切りと下部破風水切りに分けて構成すれば、少ない構成部材で簡単に施工できる軒構造が提案されている。
【先行技術文献】
【特許文献】
【０００３】
【特許文献１】特開２０１５−３１１１６号公報
【特許文献２】特開平９−１５１５８３号公報
【発明の概要】
【発明が解決しようとする課題】
【０００４】
しかしながら、上記２つの特許文献は、第１、第２水切部材や上部、下部破風水切部材は、金属製板であるので防水機能は十分に具備しているので、仮に、軒裏納まりが天然木製品であっても雨水が到達することがないので、カビの発生や歪の発生という不具合は生じなく耐久性は維持される。しかしながら、一方、天然木製品の美しさがそれらの金属性板で覆い隠されているので外から見えなくなるという課題がある。このような課題を解決するための従来技術文献としての文献は示されていないが、実際状は天然木製品が見える状態に施工されている軒裏納まりも存在している。この場合においては、使用されている天然木製品の外から見える木口から雨水が浸み込んで、カビの発生や製品の歪の発生など前記のような不具合が生じるという問題点がある。
【課題を解決するための手段】
【０００５】
この発明は上記事情に鑑み、天然木製品の木口を見せながら厚み感や質感を味うことが出来、しかも耐久性を維持できる木製軒裏納まりと軒先見切り及び軒裏回り縁を提供することを目的としてなされたものであって、その特徴とするところは、住宅の構造部材に固定された軒先見切りと、この軒先見切りの軒裏側で上端側を軒裏と反対側へ露出しないように支持され下端側を軒裏側へ入り込んだ位置で軒裏と反対側に露出している木製軒裏回り縁と、この木製軒裏回り縁の下方面と略同一面となるように配置された木製軒裏と、を具備する木製軒裏納まりとしたところにある。
【０００６】
前記軒先見切りが、前記住宅の構造部材に固定される上面板と、該上面板の軒裏と反対側から屈曲して形成された側面板と、該側面板の下端側から軒裏側に屈曲して形成された下面板と、前記上面板と前記下面板の間に前記木製軒裏回り縁の上端側を支持する支持部としたことにある。
【０００７】
前記木製軒裏回り縁が、前記側面板より長い本体部と、該本体部の上方から軒裏と反対側に突出して前記支持部に収納支持される収納凸部と、前記本体部の上方から軒裏側に突出して形成され前記上面板に固定する取付板部とを、具備することにある。
【発明の効果】
【０００８】
この発明の木製軒裏納まりは、住宅の構造部材である例えば軒裏の一端側である外壁の下端に軒先見切りを固定し、そして、この軒先見切りの軒裏側で上端側が軒裏と反対側に露出しないように支持され、下端側が軒裏側へ入り込んだ位置で軒裏と反対側に露出している木製軒裏回り縁を設けているので、この木製軒裏回り縁の上端側は軒先水切りによって雨水に触れることはなく、下端側は軒裏側へ入り込んだ位置にあるので雨水に触れることはないので軒先見切りに遮られることなく露出しているので、軒先の下方から見上げてみることが出来る。又、この木製軒裏回り縁の下方面と木製軒裏は略同一平面にあり同じ木質系としてデザインが統一されている。このため、住宅の軒下の外側から見た場合には、木製軒裏回り縁の木目模様と質感を目視することが出来るのみならず、軒裏全体の統一した木質感を得られ、住宅の高級感を醸し出すことが出来る。加えて、雨水に木製軒裏回り縁が触れることがないので、カビや歪の発生が抑制されて耐久性を向上させることが出来る。
【０００９】
又、この発明の木製軒裏納まりは、住宅の構造部材である軒裏の下側に位置する外壁にも接近して設けた場合には、木製軒裏の周囲を全てこの発明の木製軒裏回り縁とすることができるので、軒下の下方から見上げた場合には木製軒裏の周囲全体が木製の縁であることが視認でき、住宅の高級感をより一層醸し出すことが出来る。
【００１０】
軒先見切りが、前記住宅の構造部材に固定される上面板と、該上面板の軒裏と反対側から屈曲して形成された側面板と、該側面板の下端側から軒裏側に屈曲して形成された下面板と、前記上面板と前記下面板の間に前記木製軒裏回り縁の上端側を支持する支持部を設けた構成としたので、前記上面板によって住宅の構造部材への固定ができ、側面板、下面板によって木製軒裏回り縁への雨水の接触の防止を図り、支持部によって木製軒裏回り縁を支持出来る。
【００１１】
前記木製軒裏回り縁が、前記側面板より長い本体部と、該本体部の上方から軒裏と反対側に突出して前記支持部に収納支持される収納凸部と、前記本体部の上方から軒裏側に突出して形成され前記上面板に固定する取付板部とを具備する構成としたので、前記軒先見切りに取付され、本体部の下方面及び下方側面が軒先の下方から木製品の木口を目視できる。
【図面の簡単な説明】
【００１２】
【図１】木製軒裏納まりの要部説明図
【図２】木製軒裏納まりを用いた軒裏構造の断面説明図
【図３】図２のＡ−Ａ線断面図
【図４】軒先見切りの断面図
【図５】木製軒裏回り縁の断面図
【図６】大型庇の軒裏に木製軒裏納まりを用いた断面説明図
【発明を実施するための形態】
【００１３】
この発明の木製軒裏納まりの最良の実施形態について以下図１、図２を参考にしつつ説明する。木製軒裏納まり１は、住宅の構造部材２に固定された軒先見切り３と、この軒先見切り３の軒裏側で上端側を軒裏と反対側へ露出しないように支持され、下端側を軒裏側へ入り込んだ位置で、軒裏と反対側に露出している木製軒裏回り縁４と、この木製軒裏回り縁４の下方面と略同一面となるように配置された木製軒裏５と、を具備する構成としたところにある。
【００１４】
前記軒先見切り３は、図４に示すように、前記木製軒裏回り縁５を支持するための部材であり、住宅の構成部材２に固定されている。この実施形態では、住宅の構成部材２は梁６に固定された取付桟７であり、この取付桟７と軒先水切り３が取付アングル材８を介して連結固定されている。軒先見切り３の構成は、住宅の梁６に固定されている外壁９の下端９ａに前記取付アングル材８を介してビス１０で固定する上面板３ａと、該上面板３ａの軒裏と反対側から屈曲して形成された側面板３ｂと、該側面板３ｂの下端側から軒裏側に屈曲して形成された下面板３ｃと、前記上面板３ａと前記下面板３ｃの間に軒裏と反対方向に窪んだ支持部３ｄを有している。前記上面板３ａの上方に突出して前記取付アングル材８の位置決めする係止突起３ｅが設けられ、又、側面板３ｂの下方には落下する雨水の水切りをする水切り突起３ｆが設けられている。
【００１５】
木製軒裏回り縁４は、図５に示すように、木製軒裏５の周囲に配置される天然の木を加工してなるものであって、前記軒先見切り３の側面板３ｂより長い本体部４ａと、該本体部４ａの上方から軒裏と反対側に突出して前記支持部３ｄに収納支持される収納凸部４ｂと、前記本体部４ａの上方から軒裏側に突出して形成され前記上面板３ａに固定する取付板部４ｃ、更に本体部４ａの下方から軒裏側へ前記取付板部４ｃの突出長さより短く突出した下方突部４ｄとを有している。そして、この下方凸部４ｄと略同一平面状には、軒裏を形成する木製軒裏５が、梁６に固定された吊り金具１１、野縁受け１２、野縁１３、胴縁１４を介して配置されている。
【００１６】
上記構成からなる木製軒裏納まり１を組立てるには、図１、図２に示されるように、住宅の構成部材２である梁６に固定された取付桟７に上片８ａを固定した取付アングル材８を介して垂れ外壁９の下端９ａに軒先見切り３を取付固定する。この取付固定は取付アングル材８の下片８ｂを上面板３ａの上面に載せてその端を係止突起３ｅに当て位置決めしてから、上面板３ａの略中央部の下方からビス１０で垂れ外壁９の下端９ａに固定することによってなされている。そして、垂れ外壁９の下端９ａと上面板３ａの間隙からの雨水の浸入を阻止するためにパッキン材１５が詰められている。この状態では、側面板３ｂの外面が外壁９の外壁面９ｂより少し軒裏側に入り込んだ位置にあるようにして、外壁面９ｂを伝って流れ落ちる雨水ができるだけ側面板３ｂに当たらないようにしている。
【００１７】
前記軒先見切り３への木製軒裏回り縁４の取付固定は、図１に良く現れているように、収納凸部４ｂを支持部３ｄに挿入して支持してから木製軒裏回り縁４の上面を上面板３ａに添わせて、取付板部４ｃの下方からビス１０で上面板３ａに固定するだけで良い。この時、本体部４ａの下端から軒裏方向に突出している下方突部４ｄは上方に位置している取付板部４cより軒裏側への突出長さが短いために、ビス１０の打ち込み作業が容易となっている。又、この下方突部４ｄは下方から軒裏を見上げた場合に、木製軒裏回り縁４の幅を本体部４ａの幅より広く視認させる作用をも有している。
【００１８】
上記のようにして住宅の構成部材１に取付けられた木製軒裏納まり１は、垂れ外壁９の外壁面９ｂを伝って落下する雨水は略そのまま地上へ落下するが、下端９ａを回り込んだ雨水や風によって横方向から当たる雨水はパッキン材１５や側面板３ｂによって遮られて、側面板３ｂを伝って地上へ落下する。この時、側面板３ｂの下方には水切り突起３ｆがあるために下面板３ｃ側へは回り込まない。又、側面板３ｂの長さより本体部４ａの方が長いので、本体部４ａの下方側の軒裏側と反対側面は露出しているものの側面板３ｂより下面板３ｃの長さ分だけ軒裏側へ入り込んでいるので、雨水が触れ難くなっている。このために、下方から見上げた場合には、本体部４ａの軒裏側と反対側の下方側、本体部４ａの下面及び下方凸部４ｄの下面は目視できるので、天然木製品である軒裏回り縁４の木口を見せながら厚み感や質感を味うことが出来、しかも耐久性を維持できる木製軒裏納まり１を得ることが出来る。
【００１９】
以上の説明においては、木製軒裏納まり１を外壁９の下端に設置した場合について説明したが、軒裏回り縁４は木製軒裏５の外周囲全部に亘って設置するものであるから、図２に示すように、軒下側の１階の外壁９１に接近した壁際の位置でも使用される。この場合には、木製軒裏納まり１は雨水には触れない場所にあるので、軒先見切り３の雨水防止作用には関係がないものの、下方から見上げた場合には、軒先側から入った光によって木製軒裏回り縁４の本体部４ａの影が下面板３ｃに投影されて、これが軒裏回り縁４を構成する天然木製品の木口を更に引き立たせて、木の立体感や質感を一層引き出させる効果を得ることが出来る。従って、軒下に居る人が見上げれば木製軒裏５の木質感と共にその四周囲が立体感、木質感を醸し出す同じ意匠性の高い木製軒裏納まり１を得ることが出来る。
【００２０】
この発明の木製軒裏納まり１は、図６に示すように、大型庇１６にも用いることが出来る。この場合には、軒先部分については軒先から軒裏側に向かって比較的長い鼻隠し部材１７が用いられているので、木製軒裏回り縁４１が雨水に濡れることがないために、軒先見切り３を使用する必要がない。そのために、軒先側においては上方側面だけが鼻隠し部材１７に隠れるようにして屋根の構造部材１８にビス１０などで固定するだけで良い。従って、ここで使用される木製軒裏回り縁４１は、鼻隠し部材１７よりも上下方向に長くて下方側が露出している略矩形の本体部４１ａとこの本体部４１ａの上方から軒裏側へ突出してビス１０止めされる取付板部４１ｃを具備していればよい。その他の軒下の部位については前述した木製軒裏納まり１の構造が使用される。この木製軒裏回り縁４１を使用した木製軒裏納まり１であっても、軒下から見上げた場合には、前記の実施形態と同様に木製軒裏回り縁４１の下方の側面と下方面が目視できるので、同様の効果を得ることが出来る。軒先側、壁際、庇下など異なる部位においても同じ断面で設計されているからである。その結果、軒先から見上げた場合には、四周囲全部が立体感、木質感を醸し出す同じ意匠性の高い木製軒裏納まり１を得ることが出来る。
【産業上の利用可能性】
【００２１】
この発明の木製軒裏納まりは、木製軒裏を具備する新築の住宅のみならず、既存の木製軒裏を有する住宅にも適用できるので、広い利用が見込まれる。
【符号の説明】
【００２２】
１    木製軒裏納まり
２    住宅の構造部材
３    軒先見切り
３ａ  上面板
３ｂ  側面板
３ｃ  下面板
３ｄ  支持部
４    木製軒裏回り縁
４ａ  本体部
４ｂ  収納凸部
４ｃ  取付板部
４ｄ  下方凸部
５    木製軒裏
６    梁
７    軒先取付桟
９    外壁  
１５  パッキン材  
【図１】
2018096049.tif 000003
【図２】
2018096049.tif 000004
【図３】
2018096049.tif 000005
【図４】
2018096049.tif 000006
【図５】
2018096049.tif 000007
【図６】
2018096049.tif 000008
【手続補正書】
【提出日】平成30年3月20日(2018.3.20)
【手続補正１】
【補正対象書類名】特許請求の範囲
【補正対象項目名】請求項３
【補正方法】変更
【補正の内容】
【請求項３】
前記木製軒裏回り縁は、高さ方向の長さが前記側面板の高さ方向の長さより長い本体部と、該本体部の上方から軒裏と反対側に突出して前記支持部に収納支持される収納凸部と、前記本体部の上方から軒裏側に突出して形成され前記上面板に固定する取付板部と、を有することを特徴とする請求項１又は請求項２の木製軒裏納まり。
【手続補正２】
【補正対象書類名】明細書
【補正対象項目名】０００７
【補正方法】変更
【補正の内容】
【０００７】
前記木製軒裏回り縁は、高さ方向の長さが前記側面板の高さ方向の長さより長い本体部と、該本体部の上方から軒裏と反対側に突出して前記支持部に収納支持される収納凸部と、前記本体部の上方から軒裏側に突出して形成され前記上面板に固定する取付板部とを、具備することにある。